(57)【要約】      （修正有）【課題】スピーディーに方向転換操作が可能な三輪スケートボードを提供する。【解決手段】三輪スケートボードは、受板１、該受板の後部底面に設けられた後輪セット、該受板の前部底面に設けられた前輪セット３より成る。該前輪セット３に含まれる前輪体３０を支持するブラケット３３の軸部３３０の軸線が後ろ向きに斜めに設置され、且つ前輪体３０と地面の接触点がブラケット３３の後部に移動し、その枢設軸線が並びに軸部３３０の延伸軸線上にない。ゆえに使用者が受板１の前部に立って滑走する時、その下向き圧力は直接軸部３３０にかからず、完全に前輪体３０の枢設軸３３４上にかかり、ベース３１に対して回転可能なブラケット３３が組み合わされることで、機動性がアップし、使用者が方向転換操作を行う時に簡単、スピーディーに巧みに行える。【選択図】図２
0003170096.tif 000002
【実用新案登録請求の範囲】
【請求項１】
受板、該受板の後部底面に設けられて両側にそれぞれ後輪体が枢設された後輪セット、該受板の前部底面に設けられて一つの前輪体が枢設された前輪セットを包含する三輪スケートボードにおいて、前述の前輪セットが、ベースであって、プラスチック材料で形成され並びに該受板底面に固定され、該ベース底面に傾斜した接合面が設けられ、該接合面に斜めに延伸されて該ベースを貫通する貫通孔が設けられ、該貫通孔に固定ネジが通された上記ベースと、摩擦防止片であって、金属材料で形成され、該ベース底面と該接合面に設けられ、該摩擦防止片に凸部が設けられて該凸部は該ベースの該貫通孔中に収容され、該凸部の軸心に該貫通孔と同心関係のネジ孔が設けられた、上記摩擦防止片と、ブラケットであって、該摩擦防止片に対向する軸部を具え、該軸部の底端より斜めに二つの耳部が延伸されて該前輪体が枢設され、該軸部の中心に該摩擦防止片のネジ孔と同心関係の挿入孔が設けられ、該挿入孔中にベアリングが設けられた上記ブラケットと、枢接ボルトであって、該ベアリングの中心に通されて該固定ネジに螺合され、該枢接ボルトの端部内にネジ孔が設けられた、上記枢接ボルトと、を包含することを特徴とする、三輪スケートボード。
【請求項２】
請求項１記載の三輪スケートボードにおいて、該摩擦防止片の該接合面に対向する一側に、該貫通孔と同心関係で対応する凸部が設けられ、該凸部の軸方向に順ネジ山が設けられ、該凸部が該貫通孔中に収容されて、該貫通孔の構造強度がアップされることを特徴とする、三輪スケートボード。
【請求項３】
請求項２記載の三輪スケートボードにおいて、該枢接ボルトの端部外周に、該凸部のネジ孔に螺合される順ネジ山が設けられたことを特徴とする、三輪スケートボード。
【請求項４】
請求項１記載の三輪スケートボードにおいて、該固定ネジの端部外周に逆ネジ山が設けられ、該枢接ボルトのネジ孔内周に、該固定ネジと螺合される逆ネジ山が設けられたことを特徴とする、三輪スケートボード。
【請求項５】
請求項１記載の三輪スケートボードにおいて、該ブラケットの軸部と該摩擦防止片の間に、ワッシャが設けられ、該ベアリングと該摩擦防止片に当接し、並びに該ブラケットと該摩擦防止片間に空隙を形成して該ブラケットの回転を順調とすることを特徴とする、三輪スケートボード。
【考案の詳細な説明】
【技術分野】
【０００１】
本考案はスケートボードの技術領域に関する。
【背景技術】
【０００２】
図５に示されるように、一般のスケートボード構造は、ほとんどが、受板４を具え、受板４の底面の後側と前側にそれぞれ後輪セット５と前輪セット６が設けられ、該後輪セット５と前輪セット６は鉛直状に下向きに延伸された後ベース５１、前ベース６１を介して後輪体５０と前輪体６０が枢接され、スケートボードの支持と移動構造を構成している。
【０００３】
一般にスケートボードで方向転換操作を行う時、使用者は受板４前部の左側或いは右側に重みをかけ、車体の傾斜のラジアンを増し、これにより回転の求心力を発生する。ただし、前述構造中、該後ベース５１、前ベース６１は鉛直状に受板４底面に設けられ、このため使用者が受板４上に立って滑走する時、その下向き圧力が後ベース５１、前ベース６１に直接加えられ、さらに後輪体５０、前輪体６０の枢軸部分に作用し、これによりスケートボードが直行する時、簡単に前輪体６０、後輪体５０の進行軌跡方向を変更できず、このため、スピーディーで巧みな方向転換操作が行えない。
【考案の概要】
【考案が解決しようとする課題】
【０００４】
本考案の主要な目的は、一種の三輪スケートボードを提供することにあり、それは機動性と剛性が改善され、使用者が方向転換操作を行う時に簡単に、スピーディーに巧みに行えるものとする。
【０００５】
本考案の別の目的は、一種の三輪スケートボードを提供することにあり、それはベースの耐磨耗性が高められ、それにより使用寿命が延長されたものとする。
【課題を解決するための手段】
【０００６】
本考案の三輪スケートボードは、受板、該受板の後部底面に設けられた後輪セット、該受板の前部底面に設けられた前輪セットを包含する。
【０００７】
その特徴は、前述の前輪セットが以下のものを含むことにある。
すなわち、ベースであって、該受板底面に固定され、該ベース底面に傾斜した接合面が設けられ、該接合面に貫通孔が設けられ、該貫通孔に固定ネジが通された上記ベースと、摩擦防止片であって、該ベースの接合面に設けられ、該貫通孔と同心関係にあるネジ孔が設けられ、該摩擦防止片の該接合面に対向する面に、該貫通孔と同心関係にある凸部が設けられた上記摩擦防止片と、ブラケットであって、該摩擦防止片に対向する軸部を具え、該軸部の底端より斜めに二つの耳部が延伸されて前輪体が枢設され、該軸部の中心にベアリングが設けられた上記ブラケットと、枢接ボルトであって、該ベアリングに通されて端部に設けられたネジ孔により該固定ネジに螺合され、これにより該ブラケットと該ベースがしっかりと一体に組み合わされる上記枢接ボルトと、を包含する。
【考案の効果】
【０００８】
前述の設計により、該ブラケットの軸部の軸線は後ろ向きに斜めに設置され、且つ該前輪体と地面の接触点は該ブラケット後部に移動させられ、その枢接軸線は軸部の延伸軸線上にない。ゆえに、使用者が該受板の前部に立って滑走する時、その下向き圧力は直接軸部にかからず、完全に前輪体の枢接軸にかかる。これにより本考案の機動性はアップされ、使用者が方向転換操作をする時、スピーディーに巧みに行える。また、該ブラケットと該ベースの間に摩擦防止片が配置され、これにより該ブラケットが該ベースに対して作用する時、該ベースと該ブラケットの作用中に、ベースがプラスチック材料ゆえに発生する剛性不足の問題を改善し、該摩擦防止片上によりベースの耐磨耗性がアップし、その使用寿命が延長する。
【図面の簡単な説明】
【０００９】
【図１】本考案の好ましい実施例の立体図である。
【図２】本考案の好ましい実施例の組立表示図である。
【図３】本考案の好ましい実施例の側面図である。
【図４】本考案の好ましい実施例の透視図である。
【図５】周知の技術の表示図である。
【考案を実施するための形態】
【００１０】
本考案の技術内容、構造特徴、達成する目的を詳細に説明するため、以下に実施例を挙げ並びに図面を組み合わせて説明する。
【００１１】
図１から図５を参照されたい。
本考案の三輪スケートボードは、使用者が踏んで騎乗するのに供される受板１、ネジで該受板１の後部底面に固定され、両側に後輪体２０が枢設された後輪セット２、及び、ネジで該受板１の前側底面に固定され、一つの前輪体３０が枢設された前輪セット３を包含する。
【００１２】
本考案の特徴は以下のとおりであり、すなわち、前述の前輪セット３は、ベース３１であって、該受板１底面に固定され、該ベース３１底面に傾斜した接合面３１０が設けられ、該接合面３１０に、七面に延伸されて該ベース３１を貫通する貫通孔３１１が設けられ、該貫通孔３１１に固定ネジ３１２が通され、該固定ネジ３１２の端部外周に逆ネジ山が設けられた、上記ベース３１と、摩擦防止片３２であって、耐磨耗の金属材料で形成された片体であり、該摩擦防止片３２は該ベース３１の底面外形に対応し、ベース３１底面と接合面３１０に貼り付けられ、摩擦防止片３２にはネジ孔３２１が設けられ、並びに同心関係でベース３１の接合面３１０の貫通孔３１１に対応し、そのうち、該摩擦防止片３２の接合面３１０の一側に、さらに凸部３２２が設けられ、該凸部３２２は該ベース３１の貫通孔３１１内に嵌め込まれる、上記摩擦防止片３２と、ブラケット３３であって、ベース３１の接合面３１０の摩擦防止片３２に接続され、該ブラケット３３は摩擦防止片３２に当接する軸部３３０を具え、軸部３３０の底端には所定角度で斜めに延伸された二つの互いに対応する耳部３３１が設けられ、耳部３３１の間に枢設軸３３４が通され、該枢設軸３３４は上述の前輪体３０を枢設するのに用いられ、該軸部３３０の中心に、ネジ孔３２１と同心関係を以て対応する挿入孔３３２が開設され、該挿入孔３３２中にベアリング３３３が収容され、該ベアリング３３３と摩擦防止片３２の間にワッシャ３５が置かれ、ベアリング３３３と摩擦防止片３２の相互作用に供され、ワッシャ３５の厚さは、ブラケット３３と摩擦防止片３２に空隙を形成させて、相互摩擦による前輪セット３の回転の順調性への影響を防止する、上記ブラケット３３、枢接ボルト３４であって、下から上にベアリング３３３の中心に通され、並びにベース３１を通って固定ネジ３１２と相互に螺合され、該枢接ボルト３４の端部軸心部分に、内向きにネジ孔３４０が開設され、該ネジ孔３４０の内側に固定ネジ３１２と螺合する逆ネジ山が設けられ、枢接ボルト３４の端部外周に、摩擦防止片３２のネジ孔３２１に対応して螺合される順ネジ山３４１が設置されている、上記枢接ボルト３４と、を包含する。
【００１３】
組立実施時には、ベース３１が受板１の前部底面に固定され、並びに摩擦防止片３２がベース３１底面と接合面３１０上に貼り付けられ、摩擦防止片３２の凸部３２２が貫通孔３１１中に収容される。さらに、前輪体３０が枢設されたブラケット３３がベース３１の接合面３１０に対応する摩擦防止片３２上に設けられ、さらに枢接ボルト３４がベアリング３３３、ベース３１に通され、さらに摩擦防止片３２のネジ孔３２１と固定ネジ３１２と相互に螺合され、ブラケット３３がベース３１と摩擦防止片３２に対して左右回転するものとされ、こうして実施態様が構成される。そのうち、該前輪セット３の軸部３３０は、摩擦防止片３２のベース３１の傾斜接合面３１０に対応する部分の両者間に当接し並びにワッシャ３５で隔てられ、その軸線は受板１と地面に比較して後ろ向きに斜めに設置されている。
【００１４】
以上は本考案の好ましい実施例の各部の構造特徴である。続いて本考案の使用特徴及び生産の効果について紹介する。
一．ブラケット３３の軸部３３０の軸線が後ろ向きに斜めに設置され、且つ前輪体３０と地面の接触点がブラケット３３の後部に移動し、その枢設軸線が並びに軸部３３０の延伸軸線上にない。ゆえに使用者が受板１の前部に立って滑走する時、その下向き圧力は直接軸部３３０にかからず、完全に前輪体３０の枢設軸３３４上にかかり、ベース３１に対して回転可能なブラケット３３が組み合わされることで、本考案の機動性がアップし、使用者が方向転換操作を行う時に簡単、スピーディーに巧みに行える。
二．第一項を受け、本考案はスピーディーに機動的に方向転換操作できる効果を達成するため、ブラケット３３とベース３１の間にさらに摩擦防止片３２が配置され、ブラケット３３がベース３１に対して作用する時に、ベース３が直接ブラケット３３に作用する時、ベース３１がプラスチック材料であることにより発生する剛性不足の問題を改善し、これにより使用寿命を延長できる。
【００１５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１６】
１      受板
２      後輪セット
２０    後輪体
３      前輪セット
３０    前輪体
３１    ベース
３１０  接合面
３１１  貫通孔
３１２  固定ネジ
３２    摩擦防止片
３２１  ネジ孔
３２２  凸部
３３    ブラケット
３３０  軸部
３３１  耳部
３３２  挿入孔
３３３  ベアリング
３３４  枢設軸
３４    枢接ボルト
３４０  ネジ孔
３４１  順ネジ山
３５    ワッシャ
４      受板
５      後輪セット
５０    後輪体
５１    後ベース
６      前輪セット
６０    前輪体
６１    前ベース
【図１】
0003170096.tif 000003
【図２】
0003170096.tif 000004
【図３】
0003170096.tif 000005
【図４】
0003170096.tif 000006
【図５】
0003170096.tif 000007